(57)【要約】【課題】簡単な構造と操作で、ケース本体内に積層収納されておいた複数枚のカードを、全てのカードが無くなるまで１枚ずつ素早く且つ確実に取り出すことができるカードケースを提供する。【解決手段】カードＢを積層収納すると共に、同カードＢの取出し口２を一側に備えるケース本体Ａと、カードＢ下に備えられて取出し口２の開口位置に積層最上段のカードＢから１枚ずつ対向位置させるようにカードＢを押し上げるカード押上げ基盤９とで構成され、更にケース本体Ａには積層最上段側のカードＢから１枚ずつ取出し口２方向に指先操作でスライドさせて同取出し口２からカードＢを１枚ずつ繰り出しながら取り出するための操作長孔１が備えられていることである。【選択図】図２
0003105235.tif 000002
【実用新案登録請求の範囲】
【請求項１】
複数枚のカードを積層収納し得る大きで、且つ、同カードの取出し口を一側に備えるケース本体と、この本体内の積層カード下に備えられて前記取出し口に積層最上段のカードから１枚ずつ前記取出し口に対向位置させる押上げ手段とで構成され、
前記ケース本体には積層最上段のカードから１枚ずつ前記取出し口方向に指先操作でスライドさせるための操作長孔が備えられていることを特徴とするカードケース。
【請求項２】
請求項１記載の押上げ手段が、少なくとも取出し口が備えられているケース本体の短辺一側から相対する短辺他側に亘り同本体内に内設される程度の大きさで、且つ、裏面略中央部位には一方側が押し下げられることで他方側が上がるシーソー的な動きを成すように揺動支点部を備えるカード押上げ基板で構成されていることを特徴とするカードケース。
【請求項３】
請求項２記載の揺動支点部を挟むカード押上げ基板の裏面に、同押上げ基板をカードの積層方向に付勢する弾発部材が備えられていることを特徴とするカードケース。
【考案の詳細な説明】
【技術分野】
【０００１】
本考案は、カードケースに係り、例えばプラスチック等からなる基材に人気キャラクターやその他のゲーム用絵柄（図柄）等が印刷されている各種のカード、所謂トレーディングカード等を所要複数枚積層させた状態で収納しておくことができと共に、積層最上段側のカードから１枚ずつ繰り出すように取り出すことができるカードケースに関する。
【背景技術】
【０００２】
従来、カードケースとしては、例えば開閉蓋体の外面に支承させた円盤のための回転駆動機構と回転停止機構、及びその回転停止機構に連動してケース本体内に積層収納されているカードを繰り出すカード繰出し機構とを備えたものが知られている（特許文献１）。
【０００３】
しかし乍ら、この従来カードケースにおいては構造の複雑化によるコスト高を招く容易となるばかりか、回転駆動機構を作動させずに、つまり、円盤を回転させることなく、カードを１枚ずつ繰り出すことができない構造であることから、操作が面倒でカードを素早く取り出すことができなかった。
【０００４】
【特許文献１】実公平７−１９４９８号
【考案の開示】
【考案が解決しようとする課題】
【０００５】
本考案が解決しようとする課題は、簡単な構造と操作で、ケース本体内に積層収納されている複数枚のカードを、全てのカードが無くなるまで１枚ずつ素早く且つ確実に取り出すことができるカードケースを提供することにある。
【課題を解決するための手段】
【０００６】
上記課題を解決するために本考案は、請求項１では、所要複数枚のカードを積層収納し得る程度の大きで、且つ、同カードの取出し口を一側に備えるケース本体と、この本体内の積層されたカード下に備えられて前記取出し口の開口位置に積層最上段のカードから１枚ずつ対向位置させるようにカードを押し上げる押上げ手段とで構成され、更に前記ケース本体には積層最上段側のカードから１枚ずつ前記取出し口方向に指先操作でスライドさせて同取出し口からカードを１枚ずつ繰り出しながら取り出するための操作長孔が備えられていることを特徴とする。
【０００７】
また、上記押上げ手段が、少なくとも取出し口が備えられているケース本体の短辺一側から相対する短辺他側に亘り同本体内に内設される程度の大きさで、且つ、裏面略中央部位には一方側が押し下げられることで他方側が上がるシーソー的な動きを成すように揺動支点部を備えるカード押上げ基板で構成されていることを特徴とする（請求項２）。この場合、揺動支点部を挟むカード押上げ基板の裏面、特にその裏面２ケ所に、同押上げ基板を積層収納されているカードの積層方向に付勢するための弾発部材を設けることが好適なものとなる（請求項３）。
そして、上記弾発部材としては特に限定されるものではないが、コイルスプリング等からなるバネ材やそれに相当するゴム材等の弾性部材等が挙げられる。
【考案の効果】
【０００８】
本考案のカードケースは叙上の如く構成してなることから下記の作用効果を奏する。
請求項１によれば、ケース本体の操作長孔に指先を入れてカードを取出し口方向にスライドさせるように移動させることで、積層最上段の１枚目のカードから取り出すことができる。そして、１枚目のカードが取出し口から取り出されると、次のカードが取出し口の開口位置に対向するように押上げ手段により押し上げられることとなり、これにより、ケース本体内に積層収納させておいたカードを１枚ずつ確実に取出し口から繰り出しながら取り出すことができる。
従って、カードに印刷されている表示内容により、勝敗を決めたりするゲーム中においてケース本体に積層収納させておいたカードを１枚ずつ素早く取り出しながら勝敗を決める遊び（ゲーム）を行なうことができる。
しかも、ケース本体内に積層収納させておいた所要複数枚のカードを１枚ずつ取出し口の開口位置に対向するように押上げ手段により順次に押し上げて取り出すことができる簡単な構造としてなることで、コストの面においても有利なカードケースを提供することが可能になる。
【０００９】
また、ケース本体の短辺一側から相対する短辺他側に亘り内設される大きさで、裏面略中央部位に一方側が押し下げられることで他方側が上がる揺動支点部を備えるカード押上げ基板の指先操作によるシーソー的な動き。つまり、カードを取出し口方向にスライドさせる指先操作によるカード押上げ基板のシーソー的な動きによりカードの短辺一側縁を取出し口に開口位置に対向位置させることができることで、ケース本体内に積層収納させておいた積層最上段のカードから１枚ずつ確実且つ素早く取り出すことができ、しかも、最後の１枚まで確実に取り出すことが可能になる。
【００１０】
また、カード押上げ基板をカードの積層方向へ付勢する弾発部材を、揺動支点部を挟むカード押上げ基板の裏面に設けてなることで、カード押上げ基板のシーソー的な動きと弾発部材によるカードの積層方向への付勢力との相乗作用により、ケース本体内に積層収納させておいた積層最上段のカードから１枚ずつ繰り出しながら取り出すその取り出し操作の確実性が図られる。
即ち、指先操作により一方側が押し下げられることで他方側が上がるカード押上げ基板のシーソー的な動きが弾発部材により滑らか且つスムーズとなり、それにより、ケース本体内に積層収納させておいた積層最上段のカードから１枚ずつ繰り出しながら取り出すカードの取り出し操作がより一層確実となって有効なカードケースとなる。
【考案を実施するための最良の形態】
【００１１】
本考案の最良の実施形態を図１〜図７に基づいて説明する。
【実施例１】
【００１２】
図１は、本考案カードケースの実施形態の一例を示し、Ａはケース本体であり、ケース本体Ａに備えられている操作長孔１からの指先操作で、同本体Ａ内に所要複数枚積層されて収納されている積層最上段の一枚目のカードＢからケース本体Ａの短辺一側に備えられている取出し口２方向にスライドさせて同取出し口２からカードＢを１枚ずつ繰り出しながら取り出すことができるようにしている。
そして、取出し口２の開口位置に積層最上段のカードＢから対向位置させるように積層方向にカードＢを適宜押し上げる押上げ手段がケース本体Ａ内に内設してある。
【００１３】
ケース本体Ａは、合成樹脂材料等の所望な材料から成形されるもので、カード収納部A-1と、この収納部A-1の開口部３を開閉する開閉蓋A-2とからなる。
カード収納部A-1は、カードＢの大きさと略同じ程度の大きさを有する開口部３を備え、所要複数枚のカードＢを積層せしめた状態で収納し得る深さを有する略矩形形状の箱型に形成され、その短辺一側には取出し口２が開口されており、閉鎖部には前記取出し口２方向に指先操作でカードＢを１枚ずつスライドさせるための操作長孔１が開口されている。
【００１４】
開閉蓋A-2は、カード収納部A-1と一体又は別体に成形されて、カード収納部A-1の開口長辺一側縁にヒンジ部４等により一体又は一体的に連結されることで、カード収納部A-1の開口部３を開閉し得るようにしている。
そして、ヒンジ部４による連結側と相対する長辺他側縁には同じくカード収納部A-1の開口長辺他側縁に設けられている係止突起５に対して係脱自在に係合させる引掛け部６を設けることで、所要複数枚のカードＢをカード収納部A-1内に積層収納せしめた後に、不用意に開かないように開口部３を閉鎖し得るようにしてある。
【００１５】
また、開閉蓋A-2にはズボン等の腰部やベルト等に係脱自在に引掛けることで、ケース本体Ａを腰等に備えておける適宜の弾性を有する引掛け片部７を備えている。
【００１６】
操作長孔１は、カード収納部A-1の閉鎖部中央部位において、同収納部A-2の長辺方向に向けて適宜の開口幅にて開口されて、指先操作でカードＢを１枚ずつ取出し口２方向にスライド移動し得るようにしている。
【００１７】
取出し口２は、カード収納部A-1の閉鎖部に面する当該収納部A-1の短辺一側における立上り周壁の根元コーナー部位に、カードＢ１枚の厚さに相当する程度の開口幅（隙間）にて開口されて、カードＢが１枚ずつスライドにより繰り出されるようにしている。
尚、図においては取出し口２の開口幅が、カードＢの厚さよりもかなり広い状態で描かれているが、カードＢを１枚ずつ確実に繰り出しながら取り出すためにはカードＢ１枚の厚さと同じ開口幅の開口形状とすることが好適なものとなる。
【００１８】
押上げ手段は、カード収納部A-1内に所要複数枚が積層されて収納されるカードＢの下に備えられることで、積層されているカードＢを積層方向に押し上げる。
つまり、取出し口２が面一延長線上において開口されているカード収納部A-1の閉鎖部方向に、カードＢの一側下半部又はその縁部側のみ、或いはカードＢ全体を押し上げる役目を成すものである。
【００１９】
本例では、取出し口２が開口されているカード収納部A-1の短辺一側から相対する他側に亘り同収納部A-1内に内設し得る程度の大きさで、裏面略中央部位に一方側が押し下げられることで他方側が上がるシーソー的な動きを与えるように揺動支点部８を備えるカード押上げ基板９で構成してなり、カードＢを取出し口２方向に指先操作でスライドさせる際に、カード押上げ基板９が揺動支点部８を支点にシーソーの如く動くことで、カードＢの短辺一側縁が取出し口２の開口位置に対向位置して、当該取出し口２から確実に繰り出されるようにしてある。
【００２０】
また、本例ではカード押上げ基板９のシーソー的な動きに加えて、同基板９を介して積層されているカードＢを積層方向に適宜の付勢力（弾発力）で付勢するためのコイルスプリング等のバネ材からなる弾発部材10を、揺動支点部８を挟むカード押上げ基板９の裏面２ケ所に配設することで、指先操作によるカード押上げ基板９のシーソー的な動きがより一層滑らか且つスムーズに作用するようにしている。
【００２１】
因みに、本例使用のカードＢは、人気キャラクターやその他のゲーム用絵柄（図柄）、記号、文字、そしてそれら組み合わせ等が印刷されている。例えば、麻雀パイの絵柄とグー、チョキ、パーの図形とが組み合わせて印刷されており、更には勝敗でのアイコを少なくするために１万、二万等の数字を併用して組み合わせ印刷することで、例えば、グー、チョキ、パーのようにジャンケンでは勝った者でも一万と二万での数字の大きい方が勝者となる等の工夫を備えてなるものである。
【００２２】
次に、以上のように構成された本例のカードケースの使用について簡単に説明する。
図４に示すように、取出し口２が開口されているケース本体の短辺一側側と相対する反対側の他側側における操作長孔１に指先（例えば中指等）を入れ、同取出し口２に臨む積層最上段のカードＢを押す。
すると、カード押上げ基板９が揺動支点部８を支点に、指先にて押された一方の短辺一側縁側が下がり、取出し口２側の短辺他側縁側が上がる。この際、取出し口２側のカード押上げ基盤９の短辺他側縁側は同縁側裏面に配設されているバネ材からなる弾発部材10の弾発力によってスムーズに上がり、カード押上げ基板９の上に積層されているカードＢの内、積層最上段の１枚目のカードＢを取出し口２の開口位置に対向位置させることとなる。これにより、操作長孔１に沿って移動する指先の動きにより積層最上段のカードＢのみが取出し口２方向（矢印Ｘ方向）にスライドされて、同取出し口２からケース本体Ａ外に繰り出されることとなる（図２及び図４（ａ）参照）。
【００２３】
そして、図４（ｂ）に示すように、ケース本体ＡのカードＢの積層枚数が少なくなった場合でも、カード押上げ基板９の前述のシーソー的な動きによって、全てのカードＢが無くなるまで取出し口２の開口位置に対向位置されて全てのカードＢを１枚ずつ確実に繰り出しながら取り出せるものである。
【実施例２】
【００２４】
図５は、取出し口２の開口位置を変えた他の実施形態を示す。
斯かる実施例２においてはカード収納部A-1の短辺一側における同収納部A-1の閉鎖部と立上り周壁とのコーナー部位において、該閉鎖部側に位置させて取出し口2-1を開口し、そして、立上り周壁とのコーナー連設部位には指先操作で繰り出される積層最上段の１枚目のカードＢのみを、カード押上げ基盤９のシーソー的な動きにより取出し口2-1の開口位置に対向位置させ、次に繰り出される２枚目のカードＢが１枚目のカードＢと共に取出し口2-1から繰り出されないように２枚目及びそれ以降のカードＢの短辺縁部を係止受け止めるための係止部11を設けているものである。
これにより、次に繰り出される２枚目のカードＢの短辺縁部は係止部11によって係止受け止められることとなることから、積層最上段の１枚目のカードＢのみが取出し口2-1から繰り出されるように指先操作でスライドされて取り出されることとなる。
【００２５】
尚、斯かる実施例２においては図示のように、取出し口2-1の開口位置及び係止部11の追加とカード押上げ基板９をカードＢの積層方向に付勢する弾発部材10を一方のみに配設した以外の構成部分においては前述の実施例１と基本的に変わりがないことから、同じ構成部分に同じ符号を付することで重複説明は省略する。
【実施例３】
【００２６】
図６は、カード押上げ基板９の下から弾発部材10を取り除いた他の実施形態を示す。つまり、カード押上げ基板９の揺動支点部８を支点とするシーソー的な動きを指先操作のみで行なうようにしてなるものである。
尚、斯かる実施例３においても弾発部材10を取り除いた以外は前述の実施例１と基本的に変わりがないことから、同じ構成部分に同じ符号を付することで重複説明は省略する。
【実施例４】
【００２７】
図７は、押上げ手段の他の実施形態を示し、斯かる実施例４では、シーソー的な動きを成す前述のカード押上げ基板９に変えて、カード収納部A-1内に積層収納されるカードＢの下に受け基板12を配し、更にその基板12の下に板バネ13を配することで、この板バネ13の適宜の弾発力によって積層されているカードＢを積層方向に押し上げながら指先操作によりカードＢを１枚ずつ繰り出し取り出せるようにしてなるものである。
尚、板バネ13が図示のように、カードＢ下を略全面的に受け支えることができる大きさと形状を成す場合には、受け基板12は必ずしも必要としないものである。
【００２８】
尚、斯かる実施例４においても図示のように、シーソー的な動きを成すカード押上げ基板９に変えて、受け基板12と板バネ13を、積層収納されるカードＢ下に配した以外の構成部分においては前述の実施例１と基本的に変わりがないことから、同じ構成部分に同じ符号を付することで重複説明は省略する。
【００２９】
尚、本考案の具体的な実施例にあっては、前述の各実施例１〜４詳述の構成に限定されるものではなく、請求項１〜３記載の要旨を免脱しない範囲で種々変更して行うことができるものである。
【図面の簡単な説明】
【００３０】
【図１】本考案カードケースの実施形態の一例を示す斜視図
【図２】図１のII−II線断面図
【図３】ケース本体を開き、カード押上げ基板、そして複数枚のカードをケース本体内に収納する状態の斜視図
【図４】使用の一例を示す断面図で、（ａ）は積層収納されたカード枚数が多い状態での指先操作によるカードのスライド繰り出し状態を示す、（ｂ）はカード枚数が少なくなった状態での指先操作によるカードのスライド繰り出し状態を示す
【図５】本考案カードケースの他の実施形態を示す断面図
【図６】本考案カードケースの他の実施形態を示す断面図
【図７】本考案カードケースの他の実施形態を示す断面図で、（ａ）は積層収納されたカード枚数が多い状態での指先操作によるカードのスライド繰り出し状態を示す、（ｂ）はカードの枚数が少なくなった状態での指先操作によるカードのスライド繰り出し状態を示す
【符号の説明】
【００３１】
Ａ：ケース本体     A-1：カード収納部
A-2：開閉蓋           １：操作長孔
２,2-1：取出し口         ８：揺動支点
９：カード押上げ基盤（押上げ手段）
10：弾発部材         11：係止部
13：板バネ（押上げ手段）
【図１】
0003105235.tif 000003
【図２】
0003105235.tif 000004
【図３】
0003105235.tif 000005
【図４】
0003105235.tif 000006
【図５】
0003105235.tif 000007
【図６】
0003105235.tif 000008
【図７】
0003105235.tif 000009